(57)【特許請求の範囲】
【請求項１】
頭接側となる表皮部材とこれを囲む他の表皮部材とをその裏面どうしを合わせて揃えた重ね端部において縫合した袋状のヘッドレストカバーと、その内部で発泡成形された発泡樹脂体とからなる自動車用ヘッドレストにおいて、前記表皮部材は表皮層とクッション層とからなるものであり、ヘッドレストカバーの縫合部は、前記重ね端部の両外面にわたり両裾縁を裏向きの折返し部とした縁取りテープを添わせ、この縁取りテープ間に介在する前記重ね端部および両折返し部とともにミシン縫目により縫合されており、この縫合により、クッション層の縫合部を縮ませる一方、縁取りテープにより囲まれた縫合されていない表皮部材の重ね端部及び縁取りテープをクッション層により玉縁状に膨らませて玉縁状の縁取り模様を形成し、これによって前記表皮部材間が縁取りテープによる縁取り装飾部を介して縫合一体化されていることを特徴とする表皮一体発泡成形ヘッドレスト。
【請求項２】
表皮層とクッション層とからなる頭接側となる表皮部材と、表皮層とクッション層とからなりこれを囲む他の表皮部材とをその裏面どうしを合わせて揃えた重ね合わせ、その重ね端部の両外面にわたり両裾縁を裏向きの折返し部とした断面Ｕ字状の縁取りテープを添わせながら、この縁取りテープ間に介在する前記重ね端部および両折返し部とともに縫合することにより、クッション層の縫合部を縮ませる一方、縁取りテープにより囲まれた縫合されていない表皮部材の重ね端部及び縁取りテープをクッション層により玉縁状に膨らませて玉縁状の縁取り模様を形成し、これによって前記した表皮部材間が縁取り装飾部を介して縫合一体化された袋状のヘッドレストカバーを製作し、その内部に発泡性樹脂を注入して発泡成形することを特徴とする表皮一体発泡成形ヘッドレストの製造方法。
【発明の詳細な説明】
【技術分野】
【０００１】
本発明は表皮一体発泡成形ヘッドレスト及びその製造方法に関するものである。
【背景技術】
【０００２】
従来、表皮一体発泡成形ヘッドレストは、裏向きにされた複数枚の立体裁断された表皮部材の端縁を重ね合わせ、玉縁とともに縫製して立体的なヘッドレストカバーを形成した後、裏返しして表皮部材を表向きとしたうえ、ヘッドレストカバーの内部に発泡性樹脂を注入し、発泡成形することにより製造されている（例えば、特許文献１参照）。
【０００３】
しかし、表皮部材は内面にクッション層を有する肉厚のものであるので、曲面部を裏返し縫合した後に表返しするとクッション層が縮み、表皮層に縮み圧が加わる。このため特に曲面部の縫合端部は変形し易く、滑らかな曲面形状にならず見栄えの悪い製品となるという問題があった。
【先行技術文献】
【特許文献】
【０００４】
【特許文献１】特開２０１０-２２４０２号公報
【発明の概要】
【発明が解決しようとする課題】
【０００５】
本発明は上記した従来の問題を解決し、表皮部材間の曲面状の縫合端部を滑らかな形状に仕上げることができるとともに、その縫合端部に従来にない縁取り装飾を加えることができる表皮一体発泡成形ヘッドレスト及びその製造方法を提供するためになされたものである。
【課題を解決するための手段】
【０００６】
上記の課題を解決するためになされた本発明の表皮一体発泡成形ヘッドレストは、頭接側となる表皮部材とこれを囲む他の表皮部材とをその裏面どうしを合わせて揃えた重ね端部において縫合した袋状のヘッドレストカバーと、その内部で発泡成形された発泡樹脂体とからなる自動車用ヘッドレストにおいて、前記表皮部材は表皮層とクッション層とからなるものであり、ヘッドレストカバーの縫合部は、前記重ね端部の両外面にわたり両裾縁を裏向きの折返し部とした縁取りテープを添わせ、この縁取りテープ間に介在する前記重ね端部および両折返し部とともにミシン縫目により縫合されており、この縫合により、クッション層の縫合部を縮ませる一方、縁取りテープにより囲まれた縫合されていない表皮部材の重ね端部及び縁取りテープをクッション層により玉縁状に膨らませて玉縁状の縁取り模様を形成し、これによって前記表皮部材間が縁取りテープによる縁取り装飾部を介して縫合一体化されていることを特徴とするものである。
【０００７】
また本発明の表皮一体発泡成形ヘッドレストの製造方法は、表皮層とクッション層とからなる頭接側となる表皮部材と、表皮層とクッション層とからなりこれを囲む他の表皮部材とをその裏面どうしを合わせて揃えた重ね合わせ、その重ね端部の両外面にわたり両裾縁を裏向きの折返し部とした断面Ｕ字状の縁取りテープを添わせながら、この縁取りテープ間に介在する前記重ね端部および両折返し部とともに縫合することにより、クッション層の縫合部を縮ませる一方、縁取りテープにより囲まれた縫合されていない表皮部材の重ね端部及び縁取りテープをクッション層により玉縁状に膨らませて玉縁状の縁取り模様を形成し、これによって前記した表皮部材間が縁取り装飾部を介して縫合一体化された袋状のヘッドレストカバーを製作し、その内部に発泡性樹脂を注入して発泡成形することを特徴とするものである。
【発明の効果】
【０００８】
本発明のヘッドレストは、頭接側となる表皮部材とこれを囲む他の表皮部材とをその裏面どうしを合わせて揃えた重ね端部において縫合した袋状のヘッドレストカバーと、その内部で発泡成形された発泡樹脂体とからなる自動車用ヘッドレストにおいて、ヘッドレストカバーの縫合部は、前記重ね端部の両外面にわたり両裾縁を裏向きの折返し部とした縁取りテープを添わせ、この縁取りテープ間に介在する前記重ね端部および両折返し部とともにミシン縫目により縫合されており、これによって前記表皮部材間が縁取りテープによる縁取り装飾部を介して縫合一体化することにより、ヘッドレストの周縁は縁取りテープによる縁取り装飾部により強調されて今までにない斬新なデザインとなる。しかもこの縁取り装飾部は玉縁状に膨らんだ縁取り模様を形成したものであり、意匠性に優れる。
【０００９】
また、本発明の製造方法は、頭接側となる表皮部材とこれを囲む他の表皮部材とをその裏面どうしを合わせて揃えた重ね合わせ、その重ね端部の両外面にわたり両裾縁を裏向きの折返し部とした断面Ｕ字状の縁取りテープを添わせながら、この縁取りテープ間に介在する前記重ね端部および両折返し部とともに縫合することにより、前記した表皮部材間が縁取り装飾部を介して縫合一体化された袋状のヘッドレストカバーを製作し、その内部に発泡性樹脂を注入して発泡成形するものとしているので、縁取りが表面にでないように表皮部材を裏返す必要がなく製造工程を削減できるうえに、裏返すことにより変形した部分の修正作業を不要となるので生産性を大幅に向上させることができ、製造費を低減することができる。
【図面の簡単な説明】
【００１０】
【図１】表皮部材の重ね端部を断面Ｕ字状とした縁取りテープにより添わせた状態を示す断面図である。
【図２】表皮部材の重ね端部を断面Ｕ字状とした縁取りテープにより縫合した状態を示す断面図である。
【図３】縫合された袋状のヘッドレストカバーの一部切欠側面図である。
【図４】割り金型内にセットしたヘッドレストカバー内に発泡性樹脂を注入発泡させた状態を示す断面図である。
【図５】完成された表皮一体発泡成形ヘッドレストの要部を示す一部切欠側面図である。
【図６】完成された表皮一体発泡成形ヘッドレストの斜視図である。
【発明を実施するための形態】
【００１１】
本発明の製造方法を図に基づいて詳細に説明する。
１は合成レザーよりなる表皮層１ａとフィルム薄層付きのクッション層１ｂとからなる表皮部材であり、該表皮部材１は頭接側の前面地とこれを囲む他の表皮部材としての背面地と底面地の３面地に立体裁断される。クッション層１ｂに形成されたフィルム薄層は発泡性樹脂がクッション層１ｂの連続気孔を通じて漏出しないようにするものである。
【００１２】
そして、立体裁断された前記３面地を裏面どうしで合わせて揃えた重ね端部をミシン縫合することにより図３に示されるような縫合端部が曲面状となる袋状のヘッドレストカバー５が形成される。
【００１３】
前記ミシン縫合は図示しないラッパーと称せられる補助器具により四つ巻きにするもので、中央を二つ折りした断面Ｕ字状の縁取りテープ２の両裾縁を裏向きの折返し部２ａとするものである。該縁取りテープ２により前記頭接側の前面地と頭接側の前面地を囲む背面地と底面地の重ね端部４を囲むように添わせて図２に示されるように縁取りテープ２の両裾縁の折返し部２ａととともに重ね端部４を縫合する。
【００１４】
この縫合により、クッション層１ｂの縫合部は縮むので、縁取りテープ２により囲まれた縫合されていない表皮部材１の重ね端部４は図２に示されるように膨らみ、その膨らみにより縁取りテープ２も風船状に膨らみ玉縁状となるので、ヘッドレストカバー５の周縁には玉縁状の縁取り模様９ａが形成される。さらに、該縁取り模様９ａにはミシン縫製によるミシン縫目９ｂが形成されてヘッドレスカバー５の周縁には縁取り模様９ａとミシン縫目９ｂとによる縁取り装飾部９が形成される。
【００１５】
このように縫製された立体形状のヘッドレストカバー５の底面地の先端縁と頭接側の前面地の下端縁とは図３に示されるようにミシン縫合せず発泡性樹脂を注入する際の開口３とする。
【００１６】
そして、ヘッドレストカバー５を裏返しすることなくヘッドレストステー１０をヘッドレストカバー５内にセットしたうえ、図４に示されるように割り型６内にヘッドレストカバー５をセットし、前記開口３より発泡性樹脂を注入して発泡させれば、図５，６に示されるようなクッション材７がヘッドレストカバー５内に充填され周縁を縁取り装飾部９により飾られた立体形状の表皮一体発泡成形ヘッドレストが成形されることとなる。
【００１７】
このようにして製造された表皮一体発泡成形ヘッドレストの表面周縁には重ね端部４を囲んで被覆した縁取りテープ２による玉縁状の縁取り模様９ａと、ミシン糸によるミシン縫目９ｂよりなる破線状模様とからなる縁取り装飾部９が形成される。しかも、縁取り装飾部９は表皮部材１を裏返すことなく形成するので、周縁は曲面状となるにもかかわらず腰のある合成レザーを裏返した場合に生じる歪がなく、表皮一体発泡成形ヘッドレストの周縁は滑らかな曲線を描く美麗なものとなる。
【符号の説明】
【００１８】
１  表皮部材
1a  表皮層
1b  クッション層
２  縁取りテープ
2a  折返し部
３  開口
４  重ね端部
５  ヘッドレストカバー
６  割り型
７  クッション材
９  縁取り装飾
9a  縁取り模様
9b  ミシン縫目
10  ヘッドレストステー
【図１】
0005736576.tif 000002
【図２】
0005736576.tif 000003
【図３】
0005736576.tif 000004
【図４】
0005736576.tif 000005
【図５】
0005736576.tif 000006
【図６】
0005736576.tif 000007